(57)【特許請求の範囲】
【請求項１】
透液性の表面シートと、裏面シートと、前記表面シートと前記裏面シートとの間に人体の腹側部から股下部を通って背側部にかけて介装される吸収体とを備える吸収性物品において、
前記吸収体は、当該吸収体の内部を移動可能な吸収性ポリマー粒子を有するポリマー粒子含有層を備え、
前記ポリマー粒子含有層は、
前記吸収体の幅方向の一端から他端に亘って延在して、前記幅方向と直交する長手方向の吸収性ポリマー粒子の移動を規制する複数の第１規制部と、
隣り合う前記第１規制部により区画された領域において、当該区画された領域の前記長手方向の長さより短く且つ前記長手方向に沿って延在して、前記幅方向の吸収性ポリマー粒子の移動を規制する一又は複数の第２規制部と、
を備えることを特徴とする吸収性物品。
【請求項２】
前記吸収体には、前記長手方向に沿って線状のスリットが間欠に設けられ、
前記第２規制部は、前記吸収体の前記スリットと対向する位置において、前記表面シートと前記裏面シートとを接着することで形成されていることを特徴とする請求項１に記載の吸収性物品。
【請求項３】
前記吸収体と前記表面シートとの間には、第２吸収体が備えられ、
前記第２吸収体には、前記吸収体の前記スリットと重なる位置に、第２スリットが設けられていることを特徴とする請求項２に記載の吸収性物品。
【請求項４】
前記第１規制部は、前記ポリマー粒子含有層の前記幅方向に沿って塗布された接着剤により構成されていることを特徴とする請求項１〜３の何れか一項に記載の吸収性物品。
【請求項５】
前記吸収体は、前記表面シート側に位置する上層吸収体と、前記裏面シート側に位置する下層吸収体と、を備え、
前記下層吸収体は、前記ポリマー粒子含有層であることを特徴とする請求項１〜４の何れか一項に記載の吸収性物品。
【請求項６】
前記ポリマー粒子含有層は、前記幅方向中央において前記長手方向の一端から他端に亘って延在し、前記幅方向中央において吸収性ポリマー粒子の移動を規制する第３規制部を備えることを特徴とする請求項１〜５の何れか一項に記載の吸収性物品。
【請求項７】
前記第２規制部は、前記股下部において、前記幅方向の外側から中央部側に向かって凸形状となる曲線状であり、前記背側部において、前記幅方向の中央部側から外側に向かって凸形状となる曲線状であることを特徴とする請求項１〜６の何れか一項に記載の吸収性物品。
【請求項８】
前記第１規制部は、前記長手方向の中央部側から外側に向かって凹形状となる曲線状であることを特徴とする請求項１〜７の何れか一項に記載の吸収性物品。
【発明の詳細な説明】
【技術分野】
【０００１】
本発明は、吸収性物品に関する。
【背景技術】
【０００２】
従来、おむつや、おむつカバー等の外装体の内側に取り付けられて使用される吸収パッドなどの吸収性物品が知られている。
このうち、夜用或いは長時間用などの吸収性物品には、例えば、着用者が就寝中に横向きとなった場合など、片側に体液が拡散した際に、吸収量が足りなくなり漏れが発生し易いという問題がある。特に、吸収性物品において股下部に対応する位置は、脚周りの装着性を向上させるため吸収体の幅が狭められていることが多く、吸収量が不足し易い。
そこで、例えば、特許文献１には、着用者の身体の動きに伴い、吸収性ポリマーをおむつの幅方向の一端から他端に亘って自由に移動可能とした吸収性物品が提案されている。
【先行技術文献】
【特許文献】
【０００３】
【特許文献１】特開２００９−１３１５１０号公報
【発明の概要】
【発明が解決しようとする課題】
【０００４】
しかしながら、特許文献１記載の吸収性物品においては、幅方向の吸収性ポリマーの移動位置や移動量を制限する手段はなく、このため、例えば、装着する前に吸収性ポリマーが移動し不適切に偏ってしまうなどの可能性もあり、本来必要な部分に必要な吸収量を持たせるには不十分であるという問題があった。
【０００５】
本発明の課題は、着用者の体位に合せて吸収性ポリマーを移動させ吸収量不足による漏れを防止しつつ、不適切な吸収性ポリマーの偏りを防止できる吸収性物品を提供することである。
【課題を解決するための手段】
【０００６】
前記課題を解決するために、請求項１に記載の発明は、
透液性の表面シートと、裏面シートと、前記表面シートと前記裏面シートとの間に人体の腹側部から股下部を通って背側部にかけて介装される吸収体とを備える吸収性物品において、
前記吸収体は、当該吸収体の内部を移動可能な吸収性ポリマー粒子を有するポリマー粒子含有層を備え、
前記ポリマー粒子含有層は、
前記吸収体の幅方向の一端から他端に亘って延在して、前記幅方向と直交する長手方向の吸収性ポリマー粒子の移動を規制する複数の第１規制部と、
隣り合う前記第１規制部により区画された領域において、当該区画された領域の前記長手方向の長さより短く且つ前記長手方向に沿って延在して、前記幅方向の吸収性ポリマー粒子の移動を規制する一又は複数の第２規制部と、
を備えることを特徴とする。
【０００７】
また、請求項２に記載の発明は、請求項１に記載の吸収性物品において、
前記吸収体には、前記長手方向に沿って線状のスリットが間欠に設けられ、
前記第２規制部は、前記吸収体の前記スリットと対向する位置において、前記表面シートと前記裏面シートとを接着することで形成されていることを特徴とする。
【０００８】
また、請求項３に記載の発明は、請求項２に記載の吸収性物品において、
前記吸収体と前記表面シートとの間には、第２吸収体が備えられ、
前記第２吸収体には、前記吸収体の前記スリットと重なる位置に、第２スリットが設けられていることを特徴とする。
【０００９】
また、請求項４に記載の発明は、請求項１〜３の何れか一項に記載の吸収性物品において、
前記第１規制部は、前記ポリマー粒子含有層の前記幅方向に沿って塗布された接着剤により構成されていることを特徴とする。
【００１０】
また、請求項５に記載の発明は、請求項１〜４の何れか一項に記載の吸収性物品において、
前記吸収体は、前記表面シート側に位置する上層吸収体と、前記裏面シート側に位置する下層吸収体と、を備え、
前記下層吸収体は、前記ポリマー粒子含有層であることを特徴とする。
【００１１】
また、請求項６に記載の発明は、請求項１〜５の何れか一項に記載の吸収性物品において、
前記ポリマー粒子含有層は、前記幅方向中央において前記長手方向の一端から他端に亘って延在し、前記幅方向中央において吸収性ポリマー粒子の移動を規制する第３規制部を備えることを特徴とする。
【００１２】
また、請求項７に記載の発明は、請求項１〜６の何れか一項に記載の吸収性物品において、
前記第２規制部は、前記股下部において、前記幅方向の外側から中央部側に向かって凸形状となる曲線状であり、前記背側部において、前記幅方向の中央部側から外側に向かって凸形状となる曲線状であることを特徴とする。
【００１３】
また、請求項８に記載の発明は、請求項１〜７の何れか一項に記載の吸収性物品において、
前記第１規制部は、前記長手方向の中央部側から外側に向かって凹形状となる曲線状であることを特徴とする。
【発明の効果】
【００１４】
本発明によれば、第１規制部により、幅方向と直交する長手方向の吸収性ポリマー粒子の移動が規制され、第２規制部により、幅方向の吸収性ポリマー粒子の移動の一部が規制される。
よって、着用者の体位に合せて吸収性ポリマーを移動させ吸収量不足による漏れを防止しつつ、不適切な吸収性ポリマーの偏りを防止できる。
【図面の簡単な説明】
【００１５】
【図１】本発明の吸収性物品の装着時の状態の一例を示す斜視図である。
【図２】図１の吸収性物品の下側の平面展開図である。
【図３】図１の吸収性物品の上側の平面展開図である。
【図４】（ａ）は第２吸収体の平面展開図であり、（ｂ）は吸収体の上層吸収体の平面展開図であり、（ｃ）は吸収体の下層吸収体の平面展開図である。
【図５】図３のＶ−Ｖ線における断面図である。
【図６】図３のＶＩ−ＶＩ線における断面図である。
【図７】図３のＶＩＩ−ＶＩＩ線における断面図である。
【図８】本発明の吸収性物品の作用を説明するための図である。
【図９】変形例１の吸収性物品における下層吸収体を示す図であって、（ａ）は平面展開図であり、（ｂ）は作用を説明するための図である。
【図１０】変形例２の吸収性物品における下層吸収体を示す平面展開図である。
【図１１】変形例３の吸収性物品における下層吸収体を示す平面展開図である。
【発明を実施するための形態】
【００１６】
以下、図を参照して、本発明の実施の形態を詳細に説明する。ただし、発明の範囲は、図示例に限定されない。
【００１７】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向とする。
また、前後方向をＸ方向、左右方向をＹ方向、上下方向をＺ方向とする。
【００１８】
吸収性物品１は、例えば夜用又は長時間用の尿取りパッドであり、おむつやおむつカバー、パンツなどの人体に装着される外装体（図示省略）に着脱・交換自在に取り付けられて使用されるようになっている。
【００１９】
図１〜３に示すように、吸収性物品１は、装着時に着用者の股部を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
腹側部１１及び背側部１２は、左右方向の長さがほぼ等しく、股下部１３よりも長く形成されている。背側部１２は、Ｘ方向の長さが腹側部１１よりも長く形成されており、これにより、背側部１２によって着用者の背側を広く覆うことができるようになっている。
また、股下部１３の両縁部は、腹側部１１から背側部１２に亘って、装着時に着用者の脚周りに位置する二つの脚周り部１４，１４を形成する。この脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股下により密着させることができるようになっている。
【００２０】
吸収性物品１は、装着時に着用者との接触面側（上側）に設けられる透液性の表面シート２０と、装着時に着用者との接触面と反対側（下側）に設けられる裏面シート３０と、装着時に着用者との接触面と反対側の外部側に設けられる不織布からなるバックシート４０と、表面シート２０と裏面シート３０との間に介装される吸収体６０と、吸収体６０と表面シート２０との間に備えられる第２吸収体７０と、表面シート２０側の吸収体６０の幅方向（Ｙ方向）両側縁部（左側縁部及び右側縁部）に、吸収性物品１の長手方向（Ｘ方向）に沿って備えられたギャザーシート５０，５０と、バックシート４０における腹側部１１に設けられ、吸収性物品１を外装体に固定するための固定部材８０と、により主に構成される。
【００２１】
また、図３に示すように、吸収性物品１における、表面シート２０側のギャザーシート５０，５０に挟まれる位置には、左右一対の凹部９０Ａ，９０Ｂ，９０Ｃが形成されている。
凹部９０Ａ，９０Ｂ，９０Ｃは、それぞれ腹側部１１、背側部１２、及び股下部１３において、Ｘ方向に沿う２本の線状に形成されている。
【００２２】
表面シート２０は、吸収性物品１を装着した際に着用者に接する面を形成し、吸収体６０の上側に設けられ、体液を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００２３】
裏面シート３０は、吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、必ずしも不透液性のシートでなくても良い。
【００２４】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。
また、クロスライクさが得られるため、見た目にムレ難さを与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２５】
ギャザーシート５０，５０は、表面シート２０側において、吸収体６０のＸ方向に沿った両側縁部に、腹側部１１から背側部１２に亘ってそれぞれ備えられている。
このギャザーシート５０，５０のＹ方向（左右方向）外側の部分は、吸収体６０の側方で表面シート２０及び裏面シート３０の上面に固着されている。また、このギャザーシート５０，５０のＹ方向内側の部分は、表面シート２０及び裏面シート３０に固定されておらず、そのＸ方向に沿って糸ゴム等の立体ギャザー用弾性部材５０１が備えられており、起立して着用者の体型に合わせて伸縮自在に変形可能な一対の立体ギャザーが形成されている。
【００２６】
固定部材８０は、吸収性物品１を外装体に接着させて固定する役割を果たす、粘着テープであり、剥離紙を剥がすと粘着部分が露出するようになっている。
固定部材８０は、例えば、図２に示すように、略矩形状をなしており、吸収性物品１を装着した際に着用者に接する面と反対側の面（バックシート４０の下面）における腹側部１１の中央部に備えられている。
固定部材８０の配置位置は、吸収性物品１のめくれを抑制してズレ難くする等の観点から、腹側部１１のより前側であることが好ましい。また、固定部材８０のサイズは、吸収性物品１を外装体にしっかりと固定させることができる大きさであれば特に限定されない。
なお、固定部材８０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００２７】
吸収体６０は、その長手方向（Ｘ方向）の長さが、吸収性物品１の長手方向（Ｘ方向）の長さとほぼ等しくなるように、腹側部１１から股下部１３を通り背側部１２に亘る位置に配置され、吸収性物品１の使用時に体液としての尿等の水様成分を吸収する役割を果たすものである。
吸収体６０は、吸収性物品１の形状に対応させて、腹側部１１側及び背側部１２側に対して股下部１３側が幅狭となるように内側に凹んで形成されている。
【００２８】
吸収体６０は、吸収体コア６１が、例えば、クレープ紙や、透液性の不織布や孔開きシートなどの透液性の被覆部材６２により覆われて構成されている。
【００２９】
図５〜７に示すように、吸収体コア６１は、表面シート２０側に配置された上層吸収体６１１と、裏面シート３０側に配置された下層吸収体６１２と、からなる二層構造となっている。
上層吸収体６１１は、綿やパルプなどの吸収性素材から形成されている。
また、下層吸収体６１２は、当該下層吸収体６１２の内部を移動可能な高吸収性ポリマー粒子（以下、ポリマー粒子という）のような高吸水性樹脂のみから形成される、ポリマー粒子含有層である。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
【００３０】
ここで、図４（ｃ）に示すように、下層吸収体６１２において、腹側部１１の前端部、腹側部１１と股下部１３との境界部、股下部１３と背側部１２との境界部、背側部１２の中央部、及び背側部１２の後端部には、第１規制部としての接着部６３が設けられている。
これら接着部６３は、下層吸収体６１２のＹ方向の一端から他端に亘って延在するようホットメルト接着剤が塗布されることで形成されている。
下層吸収体６１２は、この５つの接着部６３を備えることで、互いに区画された４つの領域を有することとなる。即ち、隣り合う接着部６３により、腹側部１１、股下部１３、背側部１２の前部、及び背側部１２の後部に位置する４つの区画された領域を有することとなる。そして、区画された領域間で、ポリマー粒子の移動が行われることはない。
従って、区画された領域のそれぞれにおいて、常に一定量のポリマー粒子が保持されるため、例えば、装着前に持ち歩きなどが原因で吸収性物品１の上下が変化した場合にも、ポリマー粒子がＸ方向に極端に偏るのが防止されるようになっている。
このように、第１規制部としての接着部６３は、吸収体６０のＹ方向と直交するＸ方向のポリマー粒子の移動を規制する。
【００３１】
また、図４（ｂ）（ｃ）に示すように、吸収体６０には、当該吸収体６０のＸ方向に沿って、吸収体６０の上面から下面を貫通する間欠な２本の平行線状のスリットＳが設けられている。
スリットＳは、吸収体コア６１（上層吸収体６１１、下層吸収体６１２）と、被覆部材６２と、を貫通するようくり抜かれて形成される。
スリットＳは、腹側部１１に位置する腹側スリット部Ｓ１、股下部１３に位置する股下スリット部Ｓ２、及び背側部１２に位置する背側スリット部Ｓ３、の３つの部位から形成されている。
各スリットＳ（腹側スリット部Ｓ１、股下スリット部Ｓ２、及び背側スリット部Ｓ３）は、図４（ｃ）に示すように、下層吸収体６１２の隣り合う接着部６３により区画された領域において、当該区画された領域のＸ方向の長さより短くなっている。
そして、吸収体６０の上側に配される表面シート２０が、スリットＳの形状に合せて、スリットＳの内部を被覆し、スリットＳの内部底面において裏面シート３０と接着されている。
即ち、吸収体６０のスリットＳと対向する位置において、表面シート２０と裏面シート３０とが接着されている。
これにより、表面シート２０側から観てギャザーシート５０，５０に挟まれる位置に、第２規制部としての左右一対の凹部９０Ａ，９０Ｂ，９０Ｃが形成されることとなる。
この凹部９０Ａ，９０Ｂ，９０Ｃは、下層吸収体６１２の隣り合う接着部６３により区画された領域において、当該区画された領域のＸ方向の長さより短く、よって、当該区画された領域内をＹ方向にポリマー粒子が移動可能な隙間が形成されるため、吸収体６０のＹ方向のポリマー粒子の移動を完全に遮断することなく、ポリマー粒子の移動量を好適に規制する。
従って、区画された領域のそれぞれにおいて、例えば、着用者の体位変化などで吸収性物品１の左右が変化した場合にも、ポリマー粒子がＹ方向に極端に偏るのが規制されるようになっている。
このように、第２規制部としての凹部９０Ａ，９０Ｂ，９０Ｃは、吸収体６０のＹ方向のポリマー粒子の移動の一部を規制する。
【００３２】
なお、スリットＳは、上記したように、吸収体コア６１（上層吸収体６１１、下層吸収体６１２）と、被覆部材６２と、を貫通するようくり抜いて形成する構成以外にも、例えば、吸収体コア６１（上層吸収体６１１、下層吸収体６１２）のみをくり抜き、被覆部材６２はくり抜かない構成としても良い。
この場合には、表面シート２０と、裏面シート３０と、被覆部材６２とが接着されて、第２規制部としての左右一対の凹部９０Ａ，９０Ｂ，９０Ｃが形成されることとなる。
【００３３】
また、本実施形態において、吸収体６０と、表面シート２０との間には、第２吸収体７０が備えられている。
第２吸収体７０は、その縦横の寸法が吸収体６０と略同一であって、腹側部１１から股下部１３を通り背側部１２に亘る位置に配置され、吸収性物品１の使用時に体液としての尿等の水様成分を拡散する役割を果たすものである。
【００３４】
第２吸収体７０は、吸収体コア７１が、透液性の被覆部材７２により覆われて構成されている。なお、被覆部材７２は、例えば、クレープ紙や、透液性の不織布や孔開きシートなどが用いられる。
吸収体コア７１は、綿やパルプなどの吸収性素材や、繊維或いはフィルム等のシート状基材と高吸収性ポリマーのような高吸水性樹脂とが組み合わされて形成されている。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
【００３５】
この第２吸収体７０には、図４（ａ）に示すように、第２吸収体７０のＸ方向に沿って、第２吸収体７０の上面から下面を貫通する２本の平行線状の第２スリットＳＳが設けられている。
第２スリットＳＳは、吸収体６０に設けられたスリットＳ（腹側スリット部Ｓ１、股下スリット部Ｓ２、及び背側スリット部Ｓ３）を連続させた形状（即ち、直線状）に形成されるものであり、第２吸収体７０を吸収体６０に重ねた場合に、吸収体６０のスリットＳ（腹側スリット部Ｓ１、股下スリット部Ｓ２、及び背側スリット部Ｓ３）と完全に重なるようになっている。
従って、吸収体６０のスリットＳと対向する位置において、表面シート２０と裏面シート３０とが接着されて第２規制部としての左右一対の凹部９０Ａ，９０Ｂ，９０Ｃが形成される場合に、第２吸収体７０は、これを阻害することなく、吸収体６０と表面シート２０との間に介在できることとなる。
このような第２吸収体７０により、体液を腹側部１１から股下部１３に拡散させることができ、吸収性物品１の全体としての吸収速度を向上させることができるようになっている。
【００３６】
次に、吸収性物品１の作用について説明する。
本実施形態の吸収性物品１は、以下の特徴を有するため、ポリマー粒子の移動が可能となるものである。
先ず、通常の吸収性物品においては、ポリマー粒子をパルプと混合して吸収体としているが、本実施形態においては、ポリマー粒子のみのポリマー粒子含有層が下層吸収体６１２として存在するため、ポリマー粒子の移動が可能となっている。
また、通常の吸収性物品においては、裏面シート側に位置する吸収体と、裏面シートとの間は全面で接着を行うが、本実施形態においては、ポリマー粒子含有層（下層吸収体６１２）と、裏面シート３０との間の接着が、下層吸収体６１２のＹ方向の一端から他端に亘って延在するようホットメルト接着剤が塗布されてなる接着部６３（第１規制部）のみでなされている。このため、下層吸収体６１２と裏面シート３０との間に空間が形成され、この空間をポリマー粒子が移動可能となっている。
【００３７】
これにより、本実施形態の吸収性物品１では、着用者が横向きとなった場合に、漏れが発生し易い脚周り部１４に下層吸収体６１２のポリマー粒子が移動するため、吸収量不足による漏れが防止される。
このとき、吸収性物品１には、第２規制部である凹部９０Ａ，９０Ｂ，９０Ｃが備えられることで、吸収体６０に含まれるポリマー粒子のＹ方向の移動が規制される。
具体的には、図８（ａ）に示すように、吸収性物品１（下層吸収体６１２）の全体に均一に分布しているポリマー粒子は、着用者の動きに伴って吸収性物品１のＹ方向一端側が下向きとなった場合、図８（ｂ）に示すように、吸収量が必要な身体の下側部分（特に、脚周り部１４周辺部）に移動するが、凹部９０Ａ，９０Ｂ，９０Ｃにより、全てのポリマー粒子が移動することなく排尿口部周辺にも残ることとなる。
よって、必要な箇所（脚周り部１４周辺部及び排尿口部周辺）における吸収量が確保されることとなる。
このように、凹部９０Ａ，９０Ｂ，９０Ｃにより、吸収性物品１を装着した着用者が横向きとなった場合、必要な量のみポリマー粒子を移動させ、ポリマー粒子が一部にのみ集まってしまうのを防止することができる。
このため、ポリマー粒子の膨潤による違和感や、短時間で体位変更を繰り返した場合にポリマー粒子が移動しづらくなるために発生する吸収量不足が防止される。
また、吸収性物品１には、第１規制部である接着部６３が備えられることで、ポリマー粒子のＸ方向の移動が規制される。
このため、装着中に着用者の体位変化などによりポリマー粒子がＸ方向に偏るのが防止されると共に、装着前に、例えば、製造中や店頭で持ち歩きなどが原因で吸収性物品１の上下が変化した場合などにも、ポリマー粒子が偏るのが防止されるようになっている。
【００３８】
以上のように、本実施形態の吸収性物品１によれば、第１規制部としての接着部６３により、Ｘ方向のポリマー粒子の移動が規制され、第２規制部としての凹部９０Ａ，９０Ｂ，９０Ｃにより、Ｙ方向のポリマー粒子の移動の一部が規制される。
よって、着用者の体位に合せてポリマー粒子を移動させ吸収量不足による漏れを防止しつつ、不適切なポリマー粒子の偏りを防止できる。
【００３９】
また、本実施形態の吸収性物品１によれば、吸収体６０には、吸収体６０のＸ方向に沿って、吸収体６０の上面から下面を貫通する線状のスリットＳ（腹側スリット部Ｓ１、股下スリット部Ｓ２、及び背側スリット部Ｓ３）が間欠に設けられ、第２規制部である凹部９０Ａ，９０Ｂ，９０Ｃは、吸収体６０のスリットＳと対向する位置において、表面シート２０と裏面シート３０とを接着することで形成されている。
このため、凹部９０Ａ，９０Ｂ，９０Ｃにより保持されるポリマー粒子の量や、移動するポリマー粒子の量を調節したい場合、スリットＳの形状を変えるだけで容易に調節を行うことができる。
【００４０】
また、本実施形態の吸収性物品１によれば、第１規制部は、ポリマー粒子含有層である下層吸収体６１２のＹ方向に沿って塗布された接着部６３により構成されている。
このため、接着剤を塗布するのみで第１規制部が形成できるので、接着位置の変更などを容易に行うことができる。
【００４１】
また、本実施形態の吸収性物品１によれば、吸収体６０は、表面シート２０側に位置する上層吸収体６１１と、裏面シート３０側に位置する下層吸収体６１２と、を備え、下層吸収体６１２は、ポリマー粒子含有層である。
このため、上層吸収体６１１で吸収しきれない体液を下層吸収体６１２で吸収することとなり、体液を効率よく吸収することができる。
【００４２】
また、本実施形態の吸収性物品１によれば、吸収体６０と表面シート２０との間には、第２吸収体７０が備えられ、第２吸収体７０には、吸収体６０のスリットＳ（腹側スリット部Ｓ１、股下スリット部Ｓ２、及び背側スリット部Ｓ３）と重なる位置に、第２スリットＳＳが設けられている。
このため、体液が第２吸収体７０によって腹側部１１から背側部１２に亘って拡散した後、吸収体６０にて吸収することとなり、吸収体６０の吸収速度を向上させることができる。
【００４３】
なお、本発明は、上記した実施の形態のものに限るものではなく、その要旨を逸脱しない範囲で適宜変更可能である。
【００４４】
＜変形例１＞
上記実施形態において、ポリマー粒子含有層である下層吸収体６１２は、吸収体６０のＹ方向中央においてポリマー粒子の移動を規制する第３規制部としての接着部６４を備えることとしても良い。
具体的には、図９（ａ）に示すように、接着部６４は、下層吸収体６１２のＹ方向中央に、Ｘ方向の一端から他端に延在するように設けられる。
この接着部６４は、接着部６３と同様に、ホットメルト接着剤を塗布することで形成可能である。
従って、吸収体６０の左右の量が常に一定に維持されるため、図９（ｂ）に示すように、左右のどちらかにポリマー粒子が偏ることがなく、体位の変化に柔軟に対応することができる。
【００４５】
＜変形例２＞
上記実施形態において、第１規制部を、曲線状に形成することとしても良い。即ち、接着部６３を、曲線状に形成することとしても良い。
具体的には、例えば、図１０に示すように、下層吸収体６１２において、腹側部１１、腹側部１１と股下部１３との境界部、股下部１３と背側部１２との境界部、及び背側部１２に、接着部６３を、吸収体６０のＸ方向の中央部側から外側に向かって凹形状となる曲線状に設ける。
従って、漏れ防止機能を持たせたい脚周り部１４の隙間の部分にポリマー粒子を誘導し易くすることができるため、体液をより効率よく吸収することができる。
【００４６】
＜変形例３＞
上記実施形態において、第２規制部を、曲線状に形成することとしても良い。即ち、凹部９０Ａ，９０Ｂ，９０Ｃを、曲線状に形成することとしても良い。
具体的には、例えば、図１１に示すように、股下部１３における股下スリット部Ｓ２を、Ｙ方向の外側から中央部側に向かって凸形状となる曲線状とし、背側部１２における背側スリット部Ｓ３を、Ｙ方向の中央部側から外側に向かって凸形状となる曲線状とする。
なお、図示は省略するが、この場合、上層吸収体６１１及び第２吸収体７０におけるスリットＳ及びスリットＳＳの形状は、図１１に示した下層吸収体６１２のスリットＳに対応したものとなるのは勿論である。
これにより、凹部９０Ｂは、股下部１３において、Ｙ方向の外側から中央部側に向かって凸形状となる曲線状となり、凹部９０Ｃは、背側部１２において、Ｙ方向の中央部側から外側に向かって凸形状となる曲線状となる。
従って、漏れ防止機能を持たせたい脚周り部１４の隙間の部分にポリマー粒子を誘導し易くすることができるため、体液をより効率よく吸収することができる。
【００４７】
なお、上記実施形態及び変形例１〜３では、吸収性物品として尿取りパッドを例示して説明したが、本発明の吸収性物品としては、例えば、おむつなどであっても良い。
また、上記実施形態及び変形例１〜３では、吸収体６０の吸収体コア６１が、上層吸収体６１１及び下層吸収体６１２からなる構成を例示して説明したが、上層吸収体６１１を備えない構成であっても良く、また上層吸収体６１１及び下層吸収体６１２の上下を逆（ポリマー含有層が上側）となるように構成しても良い。
また、上記実施形態及び変形例１〜３では、吸収体６０と表面シート２との間に第２吸収体７０を備える構成を例示して説明したが、第２吸収体７０を備えない構成であっても良い。
また、上記実施形態及び変形例１〜３では、第２規制部である凹部９０Ａ，９０Ｂ，９０Ｃが左右一対となった構成を例示して説明したが、第２規制部は、１つの区画された領域内に少なくとも１つあれば良く、凹部９０Ａ，９０Ｂ，９０Ｃを１つずつ形成することとしても良い。
【符号の説明】
【００４８】
１  吸収性物品
１１  腹側部
１２  背側部
１３  股下部
１４，１４  脚周り部
２０  表面シート
３０  裏面シート
４０  バックシート
５０，５０  ギャザーシート
６０  吸収体
６１  吸収体コア
６１１  上層吸収体
６１２  下層吸収体
６２  被覆部材
６３  接着部（第１規制部）
６４  接着部（第３規制部）
７０  第２吸収体
７１  吸収体コア
７２  被覆部材
８０  固定部材
９０Ａ，９０Ｂ，９０Ｃ  凹部（第２規制部）
１４１  平面ギャザー用弾性部材
５０１  立体ギャザー用弾性部材
Ｓ  スリット
Ｓ１  腹側スリット部
Ｓ２  股下スリット部
Ｓ３  背側スリット部
ＳＳ  第２スリット
【図１】
0005600052.tif 000002
【図２】
0005600052.tif 000003
【図３】
0005600052.tif 000004
【図４】
0005600052.tif 000005
【図５】
0005600052.tif 000006
【図６】
0005600052.tif 000007
【図７】
0005600052.tif 000008
【図８】
0005600052.tif 000009
【図９】
0005600052.tif 000010
【図１０】
0005600052.tif 000011
【図１１】
0005600052.tif 000012